(57)【要約】【課題】エレベータの利用状況に応じてエレベータ呼び釦の選択肢を少なくする方向に変更することができ、よって誤操作を防止することができるエレベータかご内操作装置を提供する。【解決手段】建物階に応じた複数のエレベータ呼び釦１４毎に対応付けされて呼び操作とは独立して点灯又は点滅可能なセグメントからなる数字表示器１９が設けられると共に、エレベータ呼び釦１４の操作に応じてエレベータかごを昇降停止させるエレベータ制御部１７がエレベータかごの昇降方向並びに現在位置を考慮して数字表示器１９の点灯若しくは点滅が制御される。【選択図】　　　　図１
2004099222.tif 000002
【特許請求の範囲】
【請求項１】
建物階に応じた複数のエレベータ呼び釦と、該エレベータ呼び釦の操作に応じてエレベータかごを昇降停止させる制御部とを備えたエレベータかご内操作装置において、
前記各エレベータ呼び釦毎に対応付けされて呼び操作とは独立して点灯又は点滅可能な光源を備え、前記制御部はエレベータかごの昇降方向並びに現在位置に応じて前記光源の点灯又は点滅を制御することを特徴とするエレベータかご内操作装置。
【請求項２】
前記制御部は、エレベータかごの昇降方向に対して通過済みとなる建物階に応じた複数のエレベータ呼び釦の光源を非点灯若しくは非点滅とすることを特徴とする請求項１に記載のエレベータかご内操作装置。
【請求項３】
前記制御部は、前記複数のエレベータ呼び釦のうち、予め設定された建物階に対応したエレベータ呼び釦用の光源を非点灯若しくは非点滅又は非設置とすることを特徴とする請求項１又は請求項２に記載のエレベータかご内操作装置。
【請求項４】
前記制御部は、前記複数のエレベータ呼び釦のうち呼び操作済みに対応するエレベータ呼び釦用の前記光源の点灯若しくは点滅状態を呼び操作されていないエレベータ呼び釦用の前記光源の点灯若しくは点滅状態と異ならせることを特徴とする請求項１乃至請求項３の何れか一つに記載のエレベータかご内操作装置。
【請求項５】
前記制御部は、建物階のエレベータホールに設置されたホール側エレベータ呼び釦からの呼び信号が発生しているときにはその建物階に対応したエレベータ呼び釦用の前記光源の点灯若しくは点滅状態を呼び操作されていないエレベータ呼び釦用の前記光源の点灯若しくは点滅状態と異ならせることを特徴とする請求項１乃至請求項４の何れか一つに記載のエレベータかご内操作装置。
【発明の詳細な説明】
【０００１】
【発明の属する技術分野】
本発明は、エレベータかご内に設けられて乗客が利用階数を指定するために、建物階に応じて設けられたエレベータ呼び釦と、このエレベータ呼び釦の操作に応じてエレベータかごを昇降停止させる制御部とを備えたエレベータかご内操作装置に関する。
【０００２】
【従来の技術】
従来から、エレベータかご内には、乗客がエレベータかごを操作するための各種の釦を有するエレベータかご内操作装置が設けられている。
【０００３】
このエレベータかご内操作装置に設けられた釦には、エレベータかごの乗降口を開閉する扉を建物階に停止している所定条件下において強制的に閉成するための“閉”釦、エレベータかごの乗降口を開閉する扉を建物階に停止している所定条件下において強制的に開放するための“開”釦、緊急時に外部との連絡を可能とする“緊急”釦、建物階に応じて設けられた数字等のエレベータ呼び釦等が設けられている。
【０００４】
尚、上述した釦の“閉”、“開”、“緊急”とは、釦に表示された文字である場合の他に、矢印や電話機の図柄等が釦に表示された際の機能的な意味を含めたものとする。
【０００５】
また、上述した「建物階に応じて設けられた」エレベータ呼び釦とは、建物の全階数と一致している場合を含む他、建物の一部の範囲における階数等に応じたものを含むものとする。
【０００６】
例えば、建物自体は地下２階・地上３０階建てであっても、地下２階等にはエレベータかごが移動しないために地下２階を指定するためのエレベータ呼び釦が設置されていない場合や、建物自体は地上５０階建てであっても、地上２階から地上２５階までは通過するためにこれらの階数を指定するためのエレベータ呼び釦が設置されていない場合等を含むことを意味する。
【０００７】
ところで、上記の如く構成されたエレベータかご内操作装置にあっては、特にエレベータフロアからエレベータかご内へと乗車した直後に釦操作するには、瞬時に釦の内容を判断することが困難であり、釦操作を間違えてしまうという問題があった。
【０００８】
そこで、特許文献１には、エレベータかごに乗車しようとする乗客のために閉まりかけた扉を急いで開こうとしたり、開いている扉を早く閉めてエレベータかごを出発させたいために、乗客が急いで釦を押圧操作する際の“閉”釦と“開”釦との識別性を向上させた技術が開示されている。
【０００９】
図５及び図６は、この特許文献１に開示された識別性向上の技術を示す。
【００１０】
図５は特許文献１に開示された一実施例の要部の正面図である。
【００１１】
図５において、１はエレベータ扉（図示せず）を強制的に開放させる開釦、２は開釦１の周囲に設けられた開釦枠、３はエレベータ扉を強制的に閉成させる閉釦、４は閉釦３の周囲に設けられた閉釦枠である。
【００１２】
開釦１は黄色等の明るい色、開釦枠２は黒などの暗い色、開釦１は曲面の凸面を有し、開釦枠２より突出した構成となっている。また開釦１に付された“開”の文字も青や緑の明るい色となっている。
【００１３】
また、閉釦３は閉釦枠４と同系色の暗色で、閉釦３は曲面の凹面を有し閉釦枠４よりも陥没されている。また、閉釦３に付された“閉”の文字も閉釦３と同系色の濃い色にする。
【００１４】
さらに、開釦１と閉釦３とは隣接して設置されている。この構成により、開釦１は飛び出すように見え、反対に閉釦３は目立たない。開釦１とその“開”の文字は飛び出して来る様に見えて閉釦３は背景と同化し、引っ込んでいるように見えるので、開釦１がより一層目立つ。よって開釦１と閉釦３とを隣接して設置しても開釦１を識別しやすく開釦１の方が閉釦３よりも操作しやすい構成とすることができる。
【００１５】
図６（Ａ）は特許文献１に開示された他の実施例の要部の正面図、図６（Ｂ）はその断面図である。
【００１６】
図６において、開釦５の裏面には照光用光源６が設けられている。開釦５は半透明、無色又は有色のプラスチックから構成されている。開釦５の表面は曲面の凸面に形成され、かご内操作盤のフェースプレート７よりも突出されている。照光用光源６はエレベータの制御回路に接続する。
【００１７】
閉釦８は照光しない。また閉釦８はその表面は凹面を有しかご内操作盤のフェースプレート７よりも陥没されている。
【００１８】
開釦５と閉釦８とは隣接して設置されている。また、開釦５はエレベータ扉の開放開始から閉成完了までを所定条件下として照明用光源６によって点灯する。
従って、照明用光源６の点灯中は、照明用光源６を設けていない閉釦８よりも開釦５が目立つこととなり、開釦５の識別性が向上される。
【００１９】
【特許文献１】
特開平８−７３１４５号公報（［００３６］−［００３９］、図２−図３）
【００２０】
【発明が解決しようとする課題】
ところで、上述した図５及び図６に示したものは、何れもエレベータ扉の開放若しくは閉成という機能的に異なる二つの動作を選択するものであり、エレベータの利用条件を考慮しても使用勝手は限定されたものであるため、その限定条件を考慮して閉じかけたエレベータ扉を急きょ開放させたいという場合にのみその効果を発揮するものであり、上述したエレベータ扉の開閉にしか適用することができない。
【００２１】
一方、エレベータかご内に設置されたエレベータ呼び釦は基本的には上述した２択釦とは異なり、釦数も多く、しかも、上下左右に隣接して設置されている場合が多い。
【００２２】
そして、このような配置では、エレベータフロアからエレベータかご内に乗車して直後の瞬間的に目的階に対応したエレベータ呼び釦を選択操作することが困難な場合が多く、誤って異なるエレベータ呼び釦を押してしまうなどの問題が生じていた。
【００２３】
これは、特に日常的に利用している建物（例えば、住居マンションや勤め先ビル）と異なる建物（例えば、営業先のビル、ホテル、デパートなど）の場合、日常的に利用している建物に設置のエレベータとは建物階数の相違やエレベータ自体のメーカーの相違に起因するエレベータ呼び釦の形状或いは配置の差によって誤操作をしてしまうものと考えられる。
【００２４】
そこで、本願発明者は、エレベータ内に配置された複数のエレベータ呼び釦のうち、エレベータの利用状況に応じて一つでも少ない選択肢の状態で視線を誘導することができれば、瞬間的な操作の判断材料が少なくて済むという発想に至った。
【００２５】
本発明は、上記問題を解決するため、エレベータの利用状況に応じてエレベータ呼び釦の選択肢を少なくする方向に変更することができ、よって誤操作を防止することができるエレベータかご内操作装置を提供することを目的とする。
【００２６】
【課題を解決するための手段】
その目的を達成するため、本発明のエレベータかご内操作装置は、建物階に応じた複数のエレベータ呼び釦と、該エレベータ呼び釦の操作に応じてエレベータかごを昇降停止させる制御部とを備えたエレベータかご内操作装置において、前記各エレベータ呼び釦毎に対応付けされて呼び操作とは独立して点灯又は点滅可能な光源を備え、前記制御部はエレベータかごの昇降方向並びに現在位置に応じて前記光源の点灯又は点滅を制御することを特徴とする。
【００２７】
このような構成においては、建物階に応じた複数のエレベータ呼び釦毎に対応付けされて呼び操作とは独立して点灯又は点滅可能な光源が設けられると共に、エレベータ呼び釦の操作に応じてエレベータかごを昇降停止させる制御部がエレベータかごの昇降方向並びに現在位置を考慮して光源の点灯若しくは点滅が制御される。
【００２８】
これにより、昇降方向と現在位置との関係から、操作される可能性の無い（操作無効を含む）エレベータ呼び釦と操作される可能性のあるエレベータ呼び釦とを振り分け、操作される可能性のあるエレベータ呼び釦にのみ光源の点灯若しくは点滅による喚起（視線誘導）を促すことができる。
【００２９】
また、本発明のエレベータかご内操作装置は、前記制御部は、エレベータかごの昇降方向に対して通過済みとなる建物階に応じた複数のエレベータ呼び釦の光源を非点灯若しくは非点滅とすることを特徴とする。
【００３０】
また、本発明のエレベータかご内操作装置は、前記制御部は、前記複数のエレベータ呼び釦のうち、予め設定された建物階に対応したエレベータ呼び釦用の光源を非点灯若しくは非点滅又は非設置とすることを特徴とする。
【００３１】
また、本発明のエレベータかご内操作装置は、前記制御部は、前記複数のエレベータ呼び釦のうち呼び操作済みに対応するエレベータ呼び釦用の前記光源の点灯若しくは点滅状態を呼び操作されていないエレベータ呼び釦用の前記光源の点灯若しくは点滅状態と異ならせることを特徴とする。
【００３２】
さらに、本発明のエレベータかご内操作装置は、前記制御部は、建物階のエレベータホールに設置されたホール側エレベータ呼び釦からの呼び信号が発生しているときにはその建物階に対応したエレベータ呼び釦用の前記光源の点灯若しくは点滅状態を呼び操作されていないエレベータ呼び釦用の前記光源の点灯若しくは点滅状態と異ならせることを特徴とする。
【００３３】
【発明の実施の形態】
次に、本発明のエレベータかご内操作装置の実施の形態を図面に基づいて説明する。
【００３４】
図２及び図３は本発明のエレベータかご内操作装置の操作部の正面図である。
尚、この図２及び図３において、本発明とは実質的に関係の無い操作用の釦（例えば、上述した“緊急”釦等）は図示を省略する。
【００３５】
図２及び図３において、１０はエレベータかご扉付近（共に図示せず）に設置された操作部である。
【００３６】
操作部１０は、エレベータかごが上昇であることを認識させる上昇表示器１１と、エレベータかごが下降であることを認識させる下降表示器１２と、エレベータかごの現在位置を表示する階数表示器１３と、建物階（この実施の形態の場合では地上１０階建ての各階毎）に応じた複数のエレベータ呼び釦１４−１，１４−２・・・１４−１０と、エレベータ扉を開放させる開釦１５と、エレベータ扉を閉成させる閉釦１６とを備えている。
【００３７】
図１は本発明のエレベータかご内操作装置のブロック説明図である。
【００３８】
図１において、１７は制御部としてのエレベータ制御部、１８−１，１８−２・・・１８−１０は各エレベータ呼び釦１４−１，１４−２・・・１４−１０に対応した釦入出力回路である。
【００３９】
各エレベータ呼び釦１４−１，１４−２・・・１４−１０（図１では、エレベータ呼び釦１４−１，１４−２のみ図示するが、その他の構成も同じである。）は、７セグメントデジタル表示器等の数字表示器１９、エレベータ呼び操作に連動するスイッチ２０、各釦入出力回路１８−１，１８−２・・・１８−１０からの点灯指令信号に基づいて点灯する呼び応答灯２１、押圧操作に連動してスイッチ２０を操作する可動プレート２２、可動プレート２２を表面側に付勢する復帰スプリング２３を有する。
【００４０】
数字表示器１９は、エレベータ呼び釦１４−１，１４−２・・・１４−１０の数字表示部分が点灯するもので、例えば、図２に示すように、建物の２階で乗客があった場合、エレベータかごが上昇であることから、乗階である２階とそれよりも下階の１階を除いた各階に対応するエレベータ呼び釦１４−３，１４−４・・・１４−１０の数字表示器１９が点灯し、図３に示すように、建物の６階で乗客があった場合、エレベータかごが上昇であることから、乗階である６階とそれよりも下階の１階〜５階を除いた各階に対応するエレベータ呼び釦１４−７，１４−８・・・１４−１０の数字表示器１９が点灯する。
【００４１】
これにより、乗客は、その視線が利用可能性のある階数に対応した数字表示器１９の点灯中にあるエレベータ呼び釦１４（便宜上ハイフン以下は省略する）にのみ誘導され、利用する可能性の無い階数に対応したエレベータ表示器１４には視線が向かないため、その操作釦数が軽減された少ない数のエレベータ呼び釦１４での選択操作とすることができる。
【００４２】
尚、例えば、建物が同一オーナーの店舗やオフィスビルであった場合に、関係者のみ（例えば、店舗における倉庫や従業員控え室等）が利用する階が１０階であった場合、１０階に相当するエレベータ呼び釦１４−１０の数字表示器１９を点灯させない（或いは、数字表示器１９を設置しない）ことも可能である。
【００４３】
一方、任意のエレベータ呼び釦１４−１，１４−２・・・１４−１０が押圧されると、復帰スプリング２３の付勢に抗しての可動プレート２２の変位によりスイッチ２０がＯＮして呼び応答灯２１が点灯し、数字表示器１９とは独立して呼び操作されたエレベータ呼び釦１４（図２及び図３の場合には８階に相当するエレベータ呼び釦１４−８）の釦周囲が点灯する。
【００４４】
尚、上述した点灯は点滅でも良いし、数字表示器１９を点滅とし呼び応答灯２１は点灯（逆でも良い）としても良い。また、数字表示器１９と呼び応答灯２１の機能は逆でも良い。
【００４５】
また、建物の各階のエレベータホールに設置されたエレベータ呼び釦（図示せず）からの呼びがあった場合、エレベータ制御部１７は、その階ではエレベータかごが停止することから、数字表示器１９を非点灯として、乗客の呼び操作時の選択肢をより少なくすると共に、視線を導かないようにすることも可能である。
【００４６】
図４は、本発明のエレベータかご内操作装置の他の実施の形態のブロック説明図である。尚、見かけ上の構成は図２及び図３に示したものと実質的に同一であるため、その図示並びに説明を省略する。
【００４７】
図４において、数字表示器２９はその文字部分を光束透過性のある無色若しくは有色透明とし、自身では発光しないものが使用されている。
【００４８】
また、数字表示器２９の裏面には、異なる発光色の３種類の光源３１ａ，３１ｂ，３１ｃが設けられている。
【００４９】
光源３１ａは、例えば、緑色発光ダイオードが使用され、利用される可能性のあるエレベータ呼び釦１４に対応して発光するように制御され、これにより数字表示器２９の数字部分が緑色表示となる。
【００５０】
光源３１ｂは、例えば、赤色発光ダイオードが使用され、利用される可能性の無いエレベータ呼び釦１４に対応して発光するように制御され、これにより数字表示器２９の数字部分が赤色表示となる。
【００５１】
光源３１ｃは、例えば、青色発光ダイオードが使用され、エレベータ呼び釦１４が押圧操作された際、その操作されたエレベータ呼び釦１４に対応したものが発光するように制御され、これにより数字表示器２９の周囲が青色発色する。
【００５２】
尚、この光源３１ｃが点灯した場合には、そのエレベータ呼び釦１４に対応する光源３１ａが非点灯となったり、代わりに光源３１ｂが点灯するなどの応用も可能である。
【００５３】
また、光源３１ｂ、即ち、利用される可能性の無いエレベータ呼び釦用の光源は無くても良い。
【００５４】
【発明の効果】
本発明のエレベータかご内操作装置にあっては、以上説明したように構成したことにより、エレベータの利用状況に応じてエレベータ呼び釦の選択肢を少なくする方向に変更することができ、よって誤操作を防止することができる。
【図面の簡単な説明】
【図１】本発明のエレベータかご内操作装置のブロック説明図である。
【図２】本発明のエレベータかご内操作装置の操作部の正面図である。
【図３】本発明のエレベータかご内操作装置の操作部の他の状態の正面図である。
【図４】本発明のエレベータかご内操作装置の他の実施の形態のブロック説明図である。
【図５】特許文献１に開示された一実施例の要部の正面図である。
【図６】特許文献１に開示された他の実施例の要部の正面図である。
【符号の説明】
１４　エレベータ呼び釦、１７　エレベータ制御部、１９　数字表示器（光源）。
【図１】
2004099222.tif 000003
【図２】
2004099222.tif 000004
【図３】
2004099222.tif 000005
【図４】
2004099222.tif 000006
【図５】
2004099222.tif 000007
【図６】
2004099222.tif 000008